【手続補正書】
【提出日】令和3年2月15日(2021.2.15)
【手続補正１】
【補正対象書類名】特許請求の範囲
【補正対象項目名】全文
【補正方法】変更
【補正の内容】
【特許請求の範囲】
【請求項１】
相互に表裏をなす第１の面及び第２の面を有する第１の筐体と、
相互に表裏をなす第３の面及び第４の面を有する第２の筐体と、
前記第１の面が前記第３の面に対向する始状態から前記第２の面が前記第４の面に対向する終状態までの位置関係をとることができるように前記第１の筐体及び前記第２の筐体を回動可能に連接する連接部と、
前記第１の筐体及び前記第２の筐体間の位置関係が、前記始状態と前記終状態の間に位置する境界状態をはさんで前記始状態寄りにあるか又は前記終状態寄りにあるかを検出することができる検出部と、
前記第１の面に設けられ、所定の画像を表示することができる表示部と、
全部又は一部が前記第１の面に設けられた第１の操作インターフェースと、
全部又は一部が前記第３の面に設けられた第２の操作インターフェースと、
前記表示部、前記検出部、前記第１の操作インターフェース及び前記第２の操作インターフェースとそれぞれ接続されると共に、前記第１の操作インターフェースを介した操作が可能な第１のアプリケ−ションプログラム及び前記第２の操作インターフェースを介した操作が可能な第２のアプリケーションプログラムを実行可能に制御することができる制御部と、
を備え、
前記第１のアプリケーションプログラムおよび前記第２のアプリケーションプログラムは、前記表示部に表示された該第1のアプリケーションプログラムおよび該第２のアプリケーションプログラムのメニューの中から使用者による選択操作に基づいて実行されるアプリケーションプログラムであって、
前記制御部は、前記第１の筐体及び前記第２の筐体の筐体間位置関係が前記始状態寄りにあるときは、前記第１のアプリケ−ションプログラムの実行を不可能に制御し、かつ、該第１のアプリケーションプログラムの前記表示部におけるメニュー表示を不可能に制御し、前記筐体間位置関係が前記終状態寄りにあるときは、前記第２のアプリケ−ションプログラムの実行を不可能制御し、かつ、該第２のアプリケーションプログラムの前記表示部におけるメニュー表示を不可能に制御する、
情報処理装置。
【請求項２】
前記制御部は、前記筐体間位置関係が前記始状態寄りにあるときは、前記第１の操作インターフェースを介した操作を実行不可能に制御する、
請求項１に記載の情報処理装置。
【請求項３】
前記制御部は、前記筐体間位置関係が前記終状態寄りにあるときは、前記第２の操作インターフェースを介した操作を実行不可能に制御する、
請求項１または２に記載の情報処理装置。
【請求項４】
前記検出部は、前記筐体間位置関係が前記始状態寄りか前記終状態寄りかに応じて状態を切り換えることができるスイッチと、前記第１の筐体及び前記第２の筐体の回動に伴って前記スイッチの状態を変更することができるスイッチ変更部と、を含む、
請求項１ないし請求項３のいずれか１項に記載の情報処理装置。
【請求項５】
前記スイッチは、前記スイッチの状態を変更することができる可動部を含み、
前記境界状態は、前記第１の筐体及び前記第２の筐体の回動に伴った前記可動部の移動により、前記スイッチの状態が切り換わる状態である、
請求項４に記載の情報処理装置。
【請求項６】
前記スイッチ変更部は、当接により前記可動部を移動させることができる当接部を含む、
請求項５に記載の情報処理装置。
【請求項７】
前記スイッチは、導通状態か開放状態かを切り換えることにより、状態を変更することができる、
請求項６に記載の情報処理装置。
【請求項８】
前記可動部を移動させることにより前記スイッチの状態が変更された状態を前記筐体間位置関係が前記終状態寄りであるとし、
前記可動部が移動せず前記スイッチの状態が変更されていない状態を前記筐体間位置関係が前記始状態寄りであるとする、
請求項７に記載の情報処理装置。
【請求項９】
前記可動部は、前記第１の筐体及び前記第２の筐体のいずれかにおいて前記連接部の近傍に設けられ、
前記当接部は、前記連接部の前記回動の軸に垂直な断面における周方向の一部に設けられたリブの少なくとも一部を含んで構成され、
前記リブの少なくとも一部が前記可動部に接触することにより、前記可動部を移動させることができる、
請求項６ないし８のいずれか一項に記載の情報処理装置。
【請求項１０】
前記第１の操作インターフェースは前記表示部に組み込まれたタッチスクリーンを含み、前記第２の操作インターフェースはキーボードを含む、
請求項１ないし請求項９のいずれか１項に記載の情報処理装置。
【請求項１１】
前記第１の操作インターフェースは前記表示部に組み込まれたタッチスクリーンを含み、前記第１のアプリケ−ションプログラムはタッチスクリーン操作を要件とするように構成された、
請求項１ないし請求項９のいずれか１項に記載の情報処理装置。
【請求項１２】
前記第２の操作インターフェースはキーボードを含み、前記第２のアプリケ−ションプログラムはキーボード操作を要件とするように構成された、
請求項１ないし請求項９のいずれか１項に記載の情報処理装置。
【請求項１３】
前記第２の操作インターフェースは、さらにマウスを含む、
請求項５及び請求項１２のいずれか１項に記載の情報処理装置。
【請求項１４】
前記制御部はさらに、前記筐体間位置関係が前記終状態寄りでの前記第１のアプリケーションプログラムの実行中に、前記筐体間位置関係が前記終状態寄りから前記始状態寄りに変わる場合、前記第１のアプリケーションプログラムの実行を停止することができる、
請求項１ないし請求項１３のいずれか１項に記載の情報処理装置。
【請求項１５】
前記制御部はさらに、前記第１のアプリケーションプログラムの実行を停止した後、前記表示部において、前記筐体間位置関係が前記終状態寄りにすることを指示するメッセージを表示することができる、
請求項１４に記載の情報処理装置。
【請求項１６】
前記制御部はさらに、前記筐体間位置関係が前記始状態寄りでの前記第２のアプリケーションプログラムの実行中に、前記筐体間位置関係が前記始状態寄りから前記終状態寄りに変わる場合、前記第２のアプリケーションプログラムの実行を停止することができる、
請求項１ないし請求項１３のいずれか１項に記載の情報処理装置。
【請求項１７】
前記制御部はさらに、前記第２のアプリケーションプログラムの実行を停止した後、前記表示部において、前記筐体間位置関係が前記始状態寄りにすることを指示するメッセージを表示することができる、
請求項１６に記載の情報処理装置。
【請求項１８】
コンピュータが、
相互に表裏をなす第１の面及び第２の面を有する第１の筐体と、
相互に表裏をなす第３の面及び第４の面を有する第２の筐体と、
前記第１の面が前記第３の面に対向する始状態から前記第２の面が前記第４の面に対向する終状態までの位置関係をとることができるように前記第１の筐体及び前記第２の筐体を回動可能に連接する連接部と、
前記第１の筐体及び前記第２の筐体間の位置関係が、前記始状態と前記終状態の間に位置する境界状態をはさんで前記始状態寄りにあるか又は前記終状態寄りにあるかを検出することができる検出部と、
前記第１の面に設けられ、所定の画像を表示することができる表示部と、
全部又は一部が前記第１の面に設けられた第１の操作インターフェースと、
全部又は一部が前記第３の面に設けられた第２の操作インターフェースとを備えた操作・表示装置に接続された場合において、
前記第１のアプリケーションプログラムおよび前記第２のアプリケーションプログラムは、前記表示部に表示された該第1のアプリケーションプログラムのメニューの中から使用者による選択操作に基づいて実行されるアプリケーションプログラムであって、
前記コンピュータに、
前記第１の操作インターフェースを介した操作が可能な第１のアプリケ−ションプログラム及び前記第２の操作インターフェースを介した操作が可能な第２のアプリケーションプログラムを実行させ、
前記第１の筐体及び前記第２の筐体の筐体間位置関係が前記始状態寄りにあるときは前記第１のアプリケ−ションプログラムの実行を不可能にさせ、かつ、該第１のアプリケーションプログラムの前記表示部におけるメニュー表示を不可能にさせ、
前記筐体間位置関係が前記終状態寄りにあるときは前記第２のアプリケ−ションプログラムの実行を不可能にさせ、かつ、該第２のアプリケーションプログラムの前記表示部におけるメニュー表示を不可能にさせる、
情報処理用プログラム。
【手続補正２】
【補正対象書類名】明細書
【補正対象項目名】０００９
【補正方法】変更
【補正の内容】
【０００９】
本発明の情報処理装置は、相互に表裏をなす第１の面及び第２の面を有する第１の筐体と、相互に表裏をなす第３の面及び第４の面を有する第２の筐体と、前記第１の面が前記第３の面に対向する始状態から前記第２の面が前記第４の面に対向する終状態までの位置関係をとることができるように前記第１の筐体及び前記第２の筐体を回動可能に連接する連接部と、前記第１の筐体及び前記第２の筐体間の位置関係が、前記始状態と前記終状態の間に位置する境界状態をはさんで前記始状態寄りにあるか又は前記終状態寄りにあるかを検出することができる検出部と、前記第１の面に設けられ、所定の画像を表示することができる表示部と、全部又は一部が前記第１の面に設けられた第１の操作インターフェースと、全部又は一部が前記第３の面に設けられた第２の操作インターフェースと、前記表示部、前記検出部、前記第１の操作インターフェース及び前記第２の操作インターフェースとそれぞれ接続されると共に、前記第１の操作インターフェースを介した操作が可能な第１のアプリケ−ションプログラム及び前記第２の操作インターフェースを介した操作が可能な第２のアプリケーションプログラムを実行可能に制御することができる制御部と、を備え、前記制御部は、前記第１の筐体及び前記第２の筐体の筐体間位置関係が前記始状態寄りにあるときは前記第１のアプリケ−ションプログラムの実行を不可に制御し、前記筐体間位置関係が前記終状態寄りにあるときは前記第２のアプリケ−ションプログラムの実行を不可に制御する。また、本発明の情報処理装置は、相互に表裏をなす第１の面及び第２の面を有する第１の筐体と、相互に表裏をなす第３の面及び第４の面を有する第２の筐体と、前記第１の面が前記第３の面に対向する始状態から前記第２の面が前記第４の面に対向する終状態までの位置関係をとることができるように前記第１の筐体及び前記第２の筐体を回動可能に連接する連接部と、前記第１の筐体及び前記第２の筐体間の位置関係が、前記始状態と前記終状態の間に位置する境界状態をはさんで前記始状態寄りにあるか又は前記終状態寄りにあるかを検出することができる検出部と、前記第１の面に設けられ、所定の画像を表示することができる表示部と、全部又は一部が前記第１の面に設けられた第１の操作インターフェースと、全部又は一部が前記第３の面に設けられた第２の操作インターフェースと、前記表示部、前記検出部、前記第１の操作インターフェース及び前記第２の操作インターフェースとそれぞれ接続されると共に、前記第１の操作インターフェースを介した操作が可能な第１のアプリケ−ションプログラム及び前記第２の操作インターフェースを介した操作が可能な第２のアプリケーションプログラムを実行可能に制御することができる制御部と、を備え、前記第１のアプリケーションプログラムおよび前記第２のアプリケーションプログラムは、前記表示部に表示された該第1のアプリケーションプログラムおよび該第２のアプリケーションプログラムのメニューの中から使用者による選択操作に基づいて実行されるアプリケーションプログラムであって、前記制御部は、前記第１の筐体及び前記第２の筐体の筐体間位置関係が前記始状態寄りにあるときは、前記第１のアプ��ケ−ションプログラムの実行を不可能に制御し、かつ、該第１のアプリケーションプログラムの前記表示部におけるメニュー表示を不可能に制御し、前記筐体間位置関係が前記終状態寄りにあるときは、前記第２のアプリケ−ションプログラムの実行を不可能に制御し、かつ、該第２のアプリケーションプログラムの前記表示部におけるメニュー表示を不可能に制御する。